(57)【要約】【課題】手動開閉式の引戸の閉まり際にブレーキがかかるようにした引戸装置であって、手動による引戸の開き動作を小さな力で軽く行なえるようにする。【解決手段】引戸１の上端は出入り口の上枠２の下面の溝２ａ内に摺動自在に嵌入しており、引戸１の上端の凹部１０内には引戸１の閉まり際にブレーキを掛ける制動装置９が埋設されており、制動装置９はぜんまいばねケース１１から繰り出される索状体１２を備えた引戸引き込み手段１３と、引戸１の閉まり際にブレーキをかけ緩衝するダンパー１４と、ダンパー１４のピストンロッド１４ａの先端に索状体１２の他端と一体的に固定され上端が上枠２の溝２ａ内に位置するように設けた磁石１６と、磁石１６と僅かな隙間をあけて吸引し合うように凹部１０内に設けた磁性体１７と、上枠２の溝２ａ内において引戸１が閉じる手前の位置で磁石１６が当接して吸着するように設けた当たり部材１８とからなる。【選択図】図４
2009138400.tif 000002
【特許請求の範囲】
【請求項１】
出入り口となる開口部に開閉自在に設けられる引戸の上端は出入り口の上枠の下面に形成された溝内に摺動自在に嵌入しており、引戸の上端の凹部内には引戸が完全に閉まる直前でブレーキを掛けるために制動装置が埋設されており、制動装置はぜんまいばねを収納したぜんまいばねケースとこのぜんまいばねケースから繰り出され一端がぜんまいばねを巻回するリールに固定されたワイヤーなどの索状体とからなる引戸引き込み手段と、引戸が完全に閉まる直前においてブレーキをかけ緩衝するためのダンパーと、このダンパーのピストンロッドの先端に前記索状体の他端と一体的に固定され上端が前記上枠の下面に形成された溝内に位置するように設けられた磁石と、前記ぜんまいばねケースから索状体を所定長さ引き出し、前記ダンパーのピストンロッドのほぼ全長が突出した状態を保持すべく前記磁石と僅かな隙間をあけて吸引し合うように前記凹部内に位置固定状態で設けられた磁石などの磁性体と、前記上枠の下面に形成された溝内において引戸が閉まる手前の位置で前記磁石が当接して吸着するように設けられた鉄などの磁性材からなる当たり部材とから構成されており、前記引戸の上端の凹部内にぜんまいばねケースおよびダンパーのケースの後端部が引戸の戸尻の方向に向き、ダンパーのピストンロッドの先端および磁石が引戸の戸先の方向に向くように制動装置が収納されていることを特徴とする引戸装置。
【請求項２】
出入り口となる開口部に開閉自在に設けられる引戸の上端は出入り口の上枠の下面に形成された溝内に摺動自在に嵌入しており、引戸の上端の凹部内には引戸が完全に開く直前でブレーキを掛けるために制動装置が埋設されており、制動装置はぜんまいばねを収納したぜんまいばねケースとこのぜんまいばねケースから繰り出され一端がぜんまいばねを巻回するリールに固定されたワイヤーなどの索状体とからなる引戸引き込み手段と、引戸が完全に開く直前においてブレーキをかけ緩衝するためのダンパーと、このダンパーのピストンロッドの先端に前記索状体の他端と一体的に固定され上端が前記上枠の下面に形成された溝内に位置するように設けられた磁石と、前記ぜんまいばねケースから索状体を所定長さ引き出し、前記ダンパーのピストンロッドのほぼ全長が突出した状態を保持すべく前記磁石と僅かな隙間をあけて吸引し合うように前記凹部内に位置固定状態で設けられた磁石などの磁性体と、前記上枠の下面に形成された溝内において引戸が開く手前の位置で前記磁石が当接して吸着するように設けられた鉄などの磁性材からなる当たり部材とから構成されており、前記引戸の上端の凹部内にぜんまいばねケースおよびダンパーのケースの後端部が引戸の戸先の方向に向き、ダンパーのピストンロッドの先端および磁石が引戸の戸尻の方向に向くように制動装置が収納されていることを特徴とする引戸装置。
【請求項３】
出入り口となる開口部に設けられる引戸の上端はレールに吊り下げられてレールに沿って開閉自在となっており、引戸の上端もしくは下端の凹部内には引戸が完全に閉まる直前でブレーキを掛けるために制動装置が埋設されており、制動装置はぜんまいばねを収納したぜんまいばねケースとこのぜんまいばねケースから繰り出され一端がぜんまいばねを巻回するリールに固定されたワイヤーなどの索状体とからなる引戸引き込み手段と、引戸が完全に閉まる直前においてブレーキをかけ緩衝するためのダンパーと、このダンパーのピストンロッドの先端に前記索状体の他端と一体的に固定され上端もしくは下端が前記レール内もしくは下枠の上面に形成された溝内に位置するように設けられた磁石と、前記ぜんまいばねケースから索状体を所定長さ引き出し、前記ダンパーのピストンロッドのほぼ全長が突出した状態を保持すべく前記磁石と僅かな隙間をあけて吸引し合うように前記凹部内に位置固定状態で設けられた磁石などの磁性体と、前記レール内もしくは下枠の上面に形成された溝内において引戸が閉まる手前の位置で前記磁石が当接して吸着するように設けられた鉄などの磁性材からなる当たり部材とから構成されており、前記引戸の上端もしくは下端の凹部内にぜんまいばねケースおよびダンパーのケースの後端部が引戸の戸尻の方向に向き、ダンパーのピストンロッドの先端および磁石が引戸の戸先の方向に向くように制動装置が収納されていることを特徴とする引戸装置。
【請求項４】
出入り口となる開口部に設けられる引戸の上端はレールに吊り下げられてレールに沿って開閉自在となっており、引戸の上端もしくは下端の凹部内には引戸が完全に開く直前でブレーキを掛けるために制動装置が埋設されており、制動装置はぜんまいばねを収納したぜんまいばねケースとこのぜんまいばねケースから繰り出され一端がぜんまいばねを巻回するリールに固定されたワイヤーなどの索状体とからなる引戸引き込み手段と、引戸が完全に開く直前においてブレーキをかけ緩衝するためのダンパーと、このダンパーのピストンロッドの先端に前記索状体の他端と一体的に固定され上端もしくは下端が前記レール内もしくは下枠の上面に形成された溝内に位置するように設けられた磁石と、前記ぜんまいばねケースから索状体を所定長さ引き出し、前記ダンパーのピストンロッドのほぼ全長が突出した状態を保持すべく前記磁石と僅かな隙間をあけて吸引し合うように前記凹部内に位置固定状態で設けられた磁石などの磁性体と、前記レール内もしくは下枠の上面に形成された溝内において引戸が開く手前の位置で前記磁石が当接して吸着するように設けられた鉄などの磁性材からなる当たり部材とから構成されており、前記引戸の上端もしくは下端の凹部内にぜんまいばねケースおよびダンパーのケースの後端部が引戸の戸先の方向に向き、ダンパーのピストンロッドの先端および磁石が引戸の戸尻の方向に向くように制動装置が収納されていることを特徴とする引戸装置。
【請求項５】
ダンパーのケースの後端部を受けて衝撃を吸収するための衝撃吸収用の圧縮ばねを備えることを特徴とする請求項１から請求項４までの何れか１項記載の引戸装置。
【発明の詳細な説明】
【技術分野】
【０００１】
本発明は、手動開閉式の引戸において、引戸の閉まり際（引戸が完全に閉まる直前の状態）もしくは引戸の開き際（引戸が完全に開く直前の状態）にブレーキがかかるようにした引戸装置に関するものである。
【背景技術】
【０００２】
従来のこの種手動開閉式の引戸において、例えば引戸の閉まり際にブレーキがかかるようにした引戸装置としては、特許文献１に開示されているような装置が知られている。
特許文献１に開示されているものは、「引戸又は引出しに設けられた係合ピンの進入案内溝が開閉方向に沿って形成されたケースと、該ケース内に引戸又は引出しの開閉方向に沿ってスライド可能に設けられるとともに、スライド方向に沿ってラックギアが形成されたスライダーと、一端が前記スライダーに係止されるとともに、他端が前記ケースに係止され、前記スライダーに引戸又は引出しの引込み方向の付勢力を与えるスプリング部材と、前記ラックギアに噛合するピニオンギアを備えたロータリーダンパーと、前記スライダーに揺動可能に設けられるとともに、前記ケースに形成されたスライド案内溝に係合する係合突部を有し、かつ引戸又は引出しの開閉に伴って前記ケースの進入案内溝に進入した係合ピンと係脱する関係にある作動カムとからなり、前記スライド案内溝の開き側端部には、前記スライド案内溝から連続して屈曲状案内溝からなる仮停止部が形成され、引戸又は引出しの開操作に伴い前記係合ピンを介して前記作動カム及びスライダーが前記スプリング部材の付勢力に抗して開き側に移動され、スライド案内溝の開き側端部において前記係合突部が前記屈曲案内溝側に案内されることにより前記作動カムが揺動し前記係合ピンの係合が解除されるとともに、前記作動カムの係合突部が前記屈曲状案内溝に係合することによって仮停止状態とされ、引戸又は引出しの閉操作に伴い係合ピンが前記作動カムを揺動動作させることにより仮停止状態が解除され、前記スライダーがロータリダンパーによる制動力を受けながら前記スプリング部材の付勢力により戸締まり側に移動するとともに、前記作動カムが前記係合ピンを介して引戸又は引出しを締まり位置まで引込むようにした引戸又は引出しの引込み装置。」である。
【０００３】
上記構成より明らかなように特許文献１に開示されている引込み装置では、引戸に引き込み方向の付勢力を与える手段としてスプリング部材を用いている。
【特許文献１】特開２００６−２９９５７８号公報
【発明の開示】
【発明が解決しようとする課題】
【０００４】
上記特許文献１に記載の引込み装置の構成では、引戸に引き込み方向の付勢力を与えるためにスプリング部材が用いられており、引戸を手動で開ける際にスプリング部材を引っ張って伸ばす方向に力を掛けることになり、引戸が非常に重く感じるという問題がある。
【０００５】
本発明の目的は、このような課題を解決するものであり、引戸の閉まり際もしくは開き際にブレーキがかかるようにした手動開閉式の引戸装置であって、手動による引戸の開または閉動作を小さな力で軽く行なえるようにした引戸装置を提供することにある。
【課題を解決するための手段】
【０００６】
本発明の請求項１に記載の引戸装置は、出入り口となる開口部に開閉自在に設けられる引戸の上端は出入り口の上枠の下面に形成された溝内に摺動自在に嵌入しており、引戸の上端の凹部内には引戸が完全に閉まる直前でブレーキを掛けるために制動装置が埋設されており、制動装置はぜんまいばねを収納したぜんまいばねケースとこのぜんまいばねケースから繰り出され一端がぜんまいばねを巻回するリールに固定されたワイヤーなどの索状体とからなる引戸引き込み手段と、引戸が完全に閉まる直前においてブレーキをかけ緩衝するためのダンパーと、このダンパーのピストンロッドの先端に前記索状体の他端と一体的に固定され上端が前記上枠の下面に形成された溝内に位置するように設けられた磁石と、前記ぜんまいばねケースから索状体を所定長さ引き出し、前記ダンパーのピストンロッドのほぼ全長が突出した状態を保持すべく前記磁石と僅かな隙間をあけて吸引し合うように前記凹部内に位置固定状態で設けられた磁石などの磁性体と、前記上枠の下面に形成された溝内において引戸が閉まる手前の位置で前記磁石が当接して吸着するように設けられた鉄などの磁性材からなる当たり部材とから構成されており、前記引戸の上端の凹部内にぜんまいばねケースおよびダンパーのケースの後端部が引戸の戸尻の方向に向き、ダンパーのピストンロッドの先端および磁石が引戸の戸先の方向に向くように制動装置が収納されていることを特徴とする。
【０００７】
請求項２に記載の引戸装置は、出入り口となる開口部に開閉自在に設けられる引戸の上端は出入り口の上枠の下面に形成された溝内に摺動自在に嵌入しており、引戸の上端の凹部内には引戸が完全に開く直前でブレーキを掛けるために制動装置が埋設されており、制動装置はぜんまいばねを収納したぜんまいばねケースとこのぜんまいばねケースから繰り出され一端がぜんまいばねを巻回するリールに固定されたワイヤーなどの索状体とからなる引戸引き込み手段と、引戸が完全に開く直前においてブレーキをかけ緩衝するためのダンパーと、このダンパーのピストンロッドの先端に前記索状体の他端と一体的に固定され上端が前記上枠の下面に形成された溝内に位置するように設けられた磁石と、前記ぜんまいばねケースから索状体を所定長さ引き出し、前記ダンパーのピストンロッドのほぼ全長が突出した状態を保持すべく前記磁石と僅かな隙間をあけて吸引し合うように前記凹部内に位置固定状態で設けられた磁石などの磁性体と、前記上枠の下面に形成された溝内において引戸が開く手前の位置で前記磁石が当接して吸着するように設けられた鉄などの磁性材からなる当たり部材とから構成されており、前記引戸の上端の凹部内にぜんまいばねケースおよびダンパーのケースの後端部が引戸の戸先の方向に向き、ダンパーのピストンロッドの先端および磁石が引戸の戸尻の方向に向くように制動装置が収納されていることを特徴とする。
【０００８】
請求項３に記載の引戸装置は、出入り口となる開口部に設けられる引戸の上端はレールに吊り下げられてレールに沿って開閉自在となっており、引戸の上端もしくは下端の凹部内には引戸が完全に閉まる直前でブレーキを掛けるために制動装置が埋設されており、制動装置はぜんまいばねを収納したぜんまいばねケースとこのぜんまいばねケースから繰り出され一端がぜんまいばねを巻回するリールに固定されたワイヤーなどの索状体とからなる引戸引き込み手段と、引戸が完全に閉まる直前においてブレーキをかけ緩衝するためのダンパーと、このダンパーのピストンロッドの先端に前記索状体の他端と一体的に固定され上端もしくは下端が前記レール内もしくは下枠の上面に形成された溝内に位置するように設けられた磁石と、前記ぜんまいばねケースから索状体を所定長さ引き出し、前記ダンパーのピストンロッドのほぼ全長が突出した状態を保持すべく前記磁石と僅かな隙間をあけて吸引し合うように前記凹部内に位置固定状態で設けられた磁石などの磁性体と、前記レール内もしくは下枠の上面に形成された溝内において引戸が閉まる手前の位置で前記磁石が当接して吸着するように設けられた鉄などの磁性材からなる当たり部材とから構成されており、前記引戸の上端もしくは下端の凹部内にぜんまいばねケースおよびダンパーのケースの後端部が引戸の戸尻の方向に向き、ダンパーのピストンロッドの先端および磁石が引戸の戸先の方向に向くように制動装置が収納されていることを特徴とする。
【０００９】
請求項４に記載の引戸装置は、出入り口となる開口部に設けられる引戸の上端はレールに吊り下げられてレールに沿って開閉自在となっており、引戸の上端もしくは下端の凹部内には引戸が完全に開く直前でブレーキを掛けるために制動装置が埋設されており、制動装置はぜんまいばねを収納したぜんまいばねケースとこのぜんまいばねケースから繰り出され一端がぜんまいばねを巻回するリールに固定されたワイヤーなどの索状体とからなる引戸引き込み手段と、引戸が完全に開く直前においてブレーキをかけ緩衝するためのダンパーと、このダンパーのピストンロッドの先端に前記索状体の他端と一体的に固定され上端もしくは下端が前記レール内もしくは下枠の上面に形成された溝内に位置するように設けられた磁石と、前記ぜんまいばねケースから索状体を所定長さ引き出し、前記ダンパーのピストンロッドのほぼ全長が突出した状態を保持すべく前記磁石と僅かな隙間をあけて吸引し合うように前記凹部内に位置固定状態で設けられた磁石などの磁性体と、前記レール内もしくは下枠の上面に形成された溝内において引戸が開く手前の位置で前記磁石が当接して吸着するように設けられた鉄などの磁性材からなる当たり部材とから構成されており、前記引戸の上端もしくは下端の凹部内にぜんまいばねケースおよびダンパーのケースの後端部が引戸の戸先の方向に向き、ダンパーのピストンロッドの先端および磁石が引戸の戸尻の方向に向くように制動装置が収納されていることを特徴とする。
【００１０】
請求項５に記載の引戸装置は、ダンパーのケースの後端部を受けて衝撃を吸収するための衝撃吸収用の圧縮ばねを備えることを特徴とする。
【発明の効果】
【００１１】
以上のように、本発明の引戸装置は、引戸を手動で閉じるとき、引戸が手動で強く閉じられても引戸の閉まり際において前記磁石が当たり部材に当接して当たり部材を吸着し、その瞬間磁石が磁性体から離れるとともに索状体がぜんまいばねケース内で巻き取られて引戸を閉じる方向に力がかかり、引戸は閉じる方向に移動しようとし、磁石が当たり部材に当接した後はぜんまいばねによる索状体の巻き取り力によりダンパーのピストンロッドがケース内に押し込まれる方向に移動して、引戸はブレーキが掛けられながら低速で閉動することができる。そして、本発明の引戸装置は引戸を閉まり際から閉じる方向に移動させるためにぜんまいばねを用いており、引戸を開き始めるときにぜんまいばねケースから索状体を引き出す力が掛かるが、前記従来のようなスプリング部材を用いる場合に比べて引戸の開動が非常に軽くなる。また、引戸を手動で開くときも同様で、引戸は開き際においてブレーキが掛けられ低速で閉動することができる。そして、本発明の引戸装置は引戸を開き際から開く方向に移動させるためにぜんまいばねを用いており、引戸を閉じ始めるときにぜんまいばねケースから索状体を引き出す力が掛かるが、前記従来のようなスプリング部材を用いる場合に比べて引戸の閉動が非常に軽くなる。さらに、ダンパーのケースの後端部を受けて衝撃を吸収するための衝撃吸収用の圧縮ばねを設けることにより、引戸が手動で強く閉じられても、もしくは引戸が手動で強く開かれても、当たり部材に対する磁石の衝撃をダンパーのピストンロッドがケース内に押し込まれようとする動作とダンパーの後の圧縮ばねで吸収することができ、引戸の前のめり（移動する方向に対して後端部下端が浮き上がること）を防止することができる。
【発明を実施するための最良の形態】
【００１２】
以下、本発明の実施の形態を、図面を用いて具体的に説明する。
先ず、図１〜図５に示す第１の実施の形態について説明すると、１は手動で開閉する引戸であって、屋内の所定位置において上枠２、戸先側竪枠３、戸尻側竪枠４および下枠５で形成されている出入り口となる開口部６に開閉自在に設けられている。
【００１３】
前記引戸１の上端は上枠２の下面に形成された溝２ａ内に摺動自在に嵌入し、また引戸１の下端は戸先寄りおよび戸尻寄りの位置に設けられた戸車７，７が下枠５に形成された溝５ａに嵌入して引戸１が自在に開閉できるようになっている。８は引戸１の前面および背面において戸先寄りの位置に形成された指掛け部である。
【００１４】
前記引戸１の上端には引戸１の閉まり際にブレーキを掛けるために制動装置９が埋設されている。１０は引戸１の上端に戸先および戸尻の方向に向いて長く形成された凹部で、この凹部１０内に前記制動装置９が埋設されている。
【００１５】
制動装置９はぜんまいばね（図示せず）を収納するぜんまいばねケース１１と、このぜんまいばねケース１１から繰り出され一端がぜんまいばねを巻回するリール１１ａに固定されたワイヤーなどの索状体１２とからなる引戸引き込み手段１３と、引戸１の閉まり際においてブレーキをかけ緩衝するためのダンパー１４と、このダンパー１４のピストンロッド１４ａの先端に取り付けられ前記索状体１２の他端を一体的に固定するとともに磁石を一体的に取り付けるための磁石取り付け部材１５と、この磁石取り付け部材１５の上下方向に貫通する孔部１５ａに嵌め込まれ下端が孔部１５ａの下端から露出し上端が前記上枠２の下面に形成された溝２ａ内に位置するように設けられた前記磁石１６と、前記ぜんまいばねケース１１から索状体１２を所定長さ引き出し、前記ダンパー１４のピストンロッド１４ａのほぼ全長が突出した状態を保持すべく前記磁石１６と僅かな隙間をあけて吸引し合うように前記凹部１０内に位置固定状態で設けられた磁石などの磁性体１７と、前記上枠２の下面に形成された溝２ａ内において引戸１が閉じる手前の位置で前記磁石１６が当接して吸着するように設けられた鉄などの磁性材からなる当たり部材１８と、前記ダンパー１４のケース１４ｂの後端部とぜんまいばねケース１１との間に設けられた衝撃吸収用の圧縮ばね１９とから構成されており、前記ぜんまいばねケース１１や磁性体１７ならびに当たり部材１８を除く部品は前記凹部１０内に嵌め込まれた長尺状の型材２０のレール状の凹部２１内に収められている。
【００１６】
そして、上記制動装置９はぜんまいばねケース１１や磁性体１７ならびに当たり部材１８を除く部品が長尺状の型材２０のレール状の凹部２１に内蔵された状態で引戸１の凹部１０内に収納されるのであり、そのときぜんまいばねケース１１およびダンパー１４のケース１４ｂの後端部が引戸１の戸尻の方向に向き、ダンパー１４のピストンロッド１４ａの先端および磁石１６が引戸１の戸先の方向に向くように収納される。なお、引戸１が閉じられた状態において前記磁性体１７は当たり部材１８よりも引戸１の戸先側に位置するように構成されている。
【００１７】
上記のような制動装置９を備えた引戸装置において、引戸１が開いているときは前記索状体１２はぜんまいばねケース１１から繰り出され、且つピストンロッド１４ａがダンパー１４のケース１４ｂからほぼ全長が突出し、かかる状態を前記磁石１６が磁性体１７を吸引して保持している。引戸１を閉じるときは手動で行なうのであり、引戸１が手動で閉じられても引戸１の閉まり際において前記磁石１６が当たり部材１８に当接して当たり部材１８を吸着し、その瞬間磁石１６が磁性体１７から離れるとともに索状体１２がぜんまいばねケース１１内で巻き取られて引戸１を閉じる方向に力がかかり、引戸１は閉じる方向に移動しようとするのであるが、磁石１６が当たり部材１８に当接した後はぜんまいばねによる索状体１２の巻き取り力によりダンパー１４のピストンロッド１４ａがケース１４ｂ内に押し込まれる方向に移動して、引戸１はブレーキが掛けられながら戸先側竪枠３に当接するまで低速で閉動する。
【００１８】
なお、引戸１が手動で強く閉じられると、力の加減によっては磁石１６が当たり部材１８に強く当たって引戸１が前のめり、つまり引戸１の戸尻側下端が浮き上がった状態となることがあるが、本実施の形態の引戸装置では前述のようにダンパー１４のケース１４ｂの後端部とぜんまいばねケース１１との間に設けられた衝撃吸収用の圧縮ばね１９が設けられているので、引戸１が手動で強く閉じられても、当たり部材１８に対する磁石１６の衝撃をダンパー１４のピストンロッド１４ａがケース１４ｂ内に押し込まれようとする動作とダンパー１４の後の圧縮ばね１９で吸収することができ、引戸１の前のめりを防止することができる。
【００１９】
閉じられた引戸１を開くときも手動で行なうのであり、磁石１６が当たり部材１８を吸着したままで引戸１は途中まで開かれ、その間にぜんまいばねケース１１から索状体１２が引き出されるとともにダンパー１４のピストンロッド１４ａもほぼ全長が突出した状態となり、そのときに前記磁性体１７が磁石１６に吸引されてぜんまいばねケース１１から索状体１２が引き出された状態およびダンパー１４のピストンロッド１４ａのほぼ全長が突出した状態を保持し、その状態で磁石１６は当たり部材１８から離れて引戸１は戸尻側竪枠４に当たるまで開かれる。このような引戸１の開動時において引戸１に余分な力が掛かっているのは引戸１を開き始めるときに磁石１６を当たり部材１８から引き離す力およびぜんまいばねケース１１から索状体１２を引き出す力であって、スプリング部材を用いる場合に比べて引戸１の開動が非常に軽くなる。
【００２０】
ところで、以上述べた実施の形態において、磁石１６と吸引し合う磁性体１７は鉄板でも良い。そして、この磁性体１７の取り付け位置は型材２０のレール状の凹部２１の前端部上にして、磁石１６と僅かな隙間をあけて吸引し合うようにすることも可能である。また、衝撃吸収用の圧縮ばね１９はダンパー１４のケース１４ｂの後端部を受けて衝撃を吸収できるように配設されていれば良く、圧縮ばね１９は必ずしもダンパー１４のケース１４ｂの後端部とぜんまいばねケース１１との間に設けられていなくても良い。
【００２１】
次に、図６に示す第２の実施の形態について説明すると、以上述べた第１の実施の形態では引戸１の閉まり際に引戸１にブレーキがかかるようにしたものであるが、第２の実施の形態では引戸１の閉まり際と開き際のどちらでもブレーキがかかるように引戸１の戸先側および戸尻側にそれぞれ、つまり引戸１を正面から見て左右に振り分けるように左右対称に引戸１の上端に制動装置９および９Ａを埋設している。戸先側における制動装置９の配設状態は前記第１の実施の形態と同様であり、戸尻側における制動装置９Ａは戸先側における制動装置９とは反対側に向いて配設されている。即ち、戸尻側における制動装置９Ａは、引戸１が完全に開く直前でブレーキを掛けるために引戸１の上端の凹部１０内に埋設されており、そしてこの制動装置９Ａは、ぜんまいばねを収納したぜんまいばねケース１１とこのぜんまいばねケース１１から繰り出され一端がぜんまいばねを巻回するリール１１ａに固定されたワイヤーなどの索状体１２とからなる引戸引き込み手段１３と、引戸１が完全に開く直前においてブレーキをかけ緩衝するためのダンパー１４と、このダンパー１４のピストンロッド１４ａの先端に前記索状体１２の他端と一体的に固定され上端が上枠２の下面に形成された溝２ａ内に位置するように設けられた磁石１６と、前記ぜんまいばねケース１１から索状体１２を所定長さ引き出し、前記ダンパー１４のピストンロッド１４ａのほぼ全長が突出した状態を保持すべく前記磁石１６と僅かな隙間をあけて吸引し合うように前記凹部１０内に位置固定状態で設けられた磁石などの磁性体１７と、前記上枠２の下面に形成された溝２ａ内において引戸１が開く手前の位置で前記磁石１６が当接して吸着するように設けられた鉄などの磁性材からなる当たり部材１８とから構成されており、前記引戸１の上端の凹部１０内にぜんまいばねケース１１およびダンパー１４のケース１４ｂの後端部が引戸１の戸先の方向に向き、ダンパー１４のピストンロッド１４ａの先端および磁石１６が引戸１の戸尻の方向に向くように制動装置９Ａが収納されているものである。なお、この戸尻側における制動装置９Ａにおいてもダンパー１４のケース１４ｂの後端部を受けて衝撃を吸収するための衝撃吸収用の圧縮ばね１９を備えている。他の構成は第１の実施の形態と同様である。
【００２２】
次に、図７〜図８に示す第３の実施の形態について説明すると、前記第１および第２の実施の形態では引戸１は上端が出入り口の上枠２の下面に形成された溝２ａ内に摺動自在に嵌入して開閉できるように取り付けられているが、第３の実施の形態では引戸１は出入り口の上枠２の下面に形成された溝２ａ内に取り付けられたレール２２に吊り下げられてレール２２に沿って開閉自在となっており、前記制動装置９および９Ａは前記第１および第２の実施の形態と同様に引戸１の上端の凹部１０内に埋設されており、制動装置９および９Ａの各磁石１６の上端はレール２２内に位置し、またレール２２内には引戸１が閉じる手前の位置および引戸１が開く手前の位置で前記各磁石１６が当接して吸着するように各当たり部材１８が設けられている。なお、前記レール２２上には引戸１の上端に取り付けられた戸車２３が受けられ、引戸１が開閉できるようになっている。そして、引戸１の開閉時に戸車２３が移動するが、戸車２３は前記当たり部材１８に接触しないように構成されている。他の構成は第２の実施の形態と同様である。
【００２３】
ところで、この第３の実施の形態では制動装置９および９Ａを引戸１の上端に埋設しているが、レール２２に吊り下げられた引戸１の下端を出入り口の下枠５の上面に形成された溝内に摺動自在に位置させ、前記各磁石１６をこの下枠５の上面に形成された溝内に位置するように構成し、下枠５の上面に形成された溝内に各当たり部材１８を設けるようにしても良い。
【００２４】
以上のようにレール２２に吊り下げ式の引戸装置にあっては、引戸１の上端および下端の何れかに制動装置９および９Ａを設けることが可能である。
さらに、第２および第３の実施の形態では引戸１の戸先側および戸尻側にそれぞれ制動装置９および９Ａを設けているが、引戸１の戸先側および戸尻側の何れか一方にのみ制動装置９または９Ａを設けるようにしても良い。
【００２５】
ところで、上記した各実施の形態において用いられているダンパー１４としてはエアーダンパーやオイルダンパーなどを用いることが可能である。
【図面の簡単な説明】
【００２６】
【図１】本発明の第１の実施の形態における引戸が開かれた状態での引戸装置の全体を示す正面図である。
【図２】同引戸が閉じられた状態での引戸装置の全体を示す正面図である。
【図３】同引戸の上端に埋設された制動装置の上方から見た斜視図である。
【図４】同引戸が開かれた状態での引戸装置の要部拡大断面正面図である。
【図５】同引戸が閉じられた状態での引戸装置の要部拡大断面正面図である。
【図６】本発明の第２の実施の形態における引戸が閉じられた状態での引戸装置の要部を示す正面図である。
【図７】本発明の第３の実施の形態における引戸が閉じられた状態での引戸装置の要部を示す正面図である。
【図８】同引戸装置の要部側面断面図である。
【符号の説明】
【００２７】
１          引戸
２          上枠
２ａ        溝
３          戸先側竪枠
４          戸尻側竪枠
５          下枠
５ａ        溝
６          開口部
７          戸車
８          指掛け部
９，９Ａ    制動装置
１０          凹部
１１          ぜんまいばねケース
１１ａ        リール
１２          索状体
１３          引戸引き込み手段
１４          ダンパー
１４ａ        ピストンロッド
１４ｂ        ケース
１５          磁石取り付け部材
１５ａ        孔部
１６          磁石
１７          磁性体
１８          当たり部材
１９          圧縮ばね
２０          型材
２１          凹部
２２          レール
２３          戸車
【図１】
2009138400.tif 000003
【図２】
2009138400.tif 000004
【図３】
2009138400.tif 000005
【図４】
2009138400.tif 000006
【図５】
2009138400.tif 000007
【図６】
2009138400.tif 000008
【図７】
2009138400.tif 000009
【図８】
2009138400.tif 000010